(57)【特許請求の範囲】
【請求項１】
導電性のコンタクトと、該コンタクトを保持したインシュレータと、該インシュレータを基板に実装して保持するよう前記基板に固定される固定部材とを含み、接続方向と該接続方向とは逆向きの離脱方向で接続対象物を前記コンタクトに接続・離脱可能とするコネクタにおいて、
前記固定部材は、前記インシュレータへ圧入される板形状の圧入部と、前記接続対象物を前記接続方向で移動して前記コンタクトに接続する際に前記接続対象物の前記接続方向における端面に当接して前記接続対象物による衝撃荷重を受けるよう前記端面に対向する前記インシュレータの対向面から前記離脱方向へ突出している当接面と、前記基板に固定される板形状の固定部とを有し、該当接面は前記固定部材の板面を交差する板厚方向の板厚面であり、前記当接面が前記基板に実装する前記インシュレータの実装面側から該実装面の上方に向かって位置していることを特徴とするコネクタ。
【請求項２】
請求項１記載のコネクタにおいて、前記当接面は、前記基板に実装する前記インシュレータの実装面から前記実装面の上方における高さが前記インシュレータの前記実装面の上方で前記インシュレータに保持した前記コンタクトの前記実装面から前記実装面の上方における高さよりも低いことを特徴とするコネクタ。
【発明の詳細な説明】
【０００１】
【発明の属する技術分野】
本発明は、接続対象物に接続するコネクタに属し、特に、ＩＣカード又はメモリカードなどの薄い板状の接続対象物を接続・離脱可能とするコネクタに属する。
【０００２】
【従来の技術】
先行技術におけるコネクタは、ＩＣカード又はメモリカードなどの薄い板状の接続対象物を接続・離脱可能とするものである。図１０及び図１１に示すように、コネクタ１は、導電性のコンタクト１０と、複数のコンタクト１０を整列して保持しているインシュレータ２０と、基板１２０（後述する図１５を参照）に固定される固定部材としての一対のホールドダウン１３０とを備えている。
【０００３】
コネクタ１は、図１２に示すように、接続方向Ａと接続方向Ａとは逆向きの離脱方向Ｂで接続対象物としての相手側コネクタ１００をコンタクト１０に接続・離脱可能とする。
【０００４】
ホールドダウン１３０は、板形状の圧入部１３０ａと、この圧入部１３０ａに対して板面方向へほぼ直角に曲げられている固定部１３０ｂとを有している。圧入部１３０ａは、インシュレータ２０に圧入されて保持されている。固定部１３０ｂは、基板１２０に実装されて基板１２０の導電パターンに半田付け接続される。
【０００５】
インシュレータ２０の対向面２０ａには、ピン形状に作られたコンタクト１０の接触部１０ａが突出した状態で設けられている。コンタクト１０は、接触部１０ａとは反対側に端子部１０ｂを有している。
【０００６】
ホールドダウン１３０は、図１３にも示すように、インシュレータ２０の長手方向の両端部に位置している一対のブロック部２０ｂの近傍に形成されている一対の溝２０ｂに一対一に圧入されて保持されている。ブロック部２０ｃには、溝２０ｂがブロック部２０ｃの底面から上方へ形成されているものであり、圧入部１３０ａの全部が溝２０ｂに圧入されることによって保持される。
【０００７】
端子部１０ｂ及びホールドダウン１３０の固定部１３０ｂは、ブロック部２０ｃの溝２０ｂへ圧入部１３０ａを圧入した後に、基板１２０上に形成されている導電パターンに半田付けによって接続される。
【０００８】
図１２及び図１４は、コネクタ１をカード接続用コネクタとして用いる場合の具体例を示している。図１２及び図１４を参照して、カード接続用コネクタは、コネクタ１と、フレーム５０ａ，５０ｂとを有している。フレーム５０ａ，５０ｂは、接続方向Ａ及び離脱方向Ｂで相手側コネクタ１００を接続・離脱方向Ａ，Ｂへ移動可能にガイドする。さらに、カード接続用コネクタは、フレーム５０ａ，５０ｂに対してブリッジ状に覆っているカバー６０と、相手側コネクタ１００を離脱するための離脱機構とを有している。カバー６０は、フレーム５０ａ，５０ｂの上面に橋渡しされている。
【０００９】
フレーム５０ａ，５０ｂは、インシュレータ２０の長手方向の両端面から接続・離脱方向Ａ，Ｂに対して互いに平行に対向して延びている。さらに、フレーム５０ａ，５０ｂは、相手側コネクタ１００の接続・離脱方向Ａ，Ｂに平行な一対の縁部分をスライド可能に保持するガイド部５１ａを有している。
【００１０】
離脱機構は、インシュレータ２０の上面に設けられているカバー６０に回転可能に取り付けたレバー７０と、それに連動して相手側コネクタ１００を離脱方向Ｂに移動させるプレート８０と、一方のフレーム５０ａの外側面に沿って設けられているイジェクトボタン９０とを有している。
【００１１】
図１５は、コネクタ１と相手側コネクタ１００とが接続された状態における回転モーメントを説明するための説明図である。図１５を参照して、コネクタ１と相手側コネクタ１００との接続状態において、相手側コネクタ１００の端面１００ｃは、インシュレータの対向面２０ａに当接する。この際、コネクタ１に相手側コネクタ１００を接続する操作中において、相手側コネクタ１００に誤って接続方向Ａへ衝撃力（衝撃荷重）Ｐが加わった場合のコネクタ１に作用する回転モーメントＭａは、Ｍａ=Ｐ×ｈ１である。ここで、ｈ１は、インシュレータ２０を実装した基板１２０の実装面から実装面の上方において回転モーメントＭａが加わる位置の高さを示している。
【００１２】
【発明が解決しようとする課題】
しかしながら、相手側コネクタ１００がコンタクト１０へ挿入されたとき、操作中に誤って、相手側コネクタ１００が接続方向Ａへ強い衝撃力Ｐを受けると、インシュレータ２０の対向面２０ａに相手側コネクタ１００の端面１００ａが当接しているため、図１５に示した回転モーメントＭａが発生する。この回転モーメントＭａは大きいために、強い衝撃力Ｐに耐え切れずに、インシュレータ２０が倒れてしまうという問題がある。
【００１３】
また、基板１２０の導電パターンに半田付けによって接続されている端子部１０は、強い衝撃力に耐え切れずに導電パターンから剥離してしまったり、ホールドダウン１３０が強い衝撃力に耐え切れず、基板１２０から離脱したり曲がったりするという問題がある。
【００１４】
それ故に本発明の課題は、操作中に誤って、相手側コネクタに強い衝撃力を受けたとしても基板の導電パターンから剥離してしまったり、固定部材が基板から離脱したり、曲がったりすることを防止できるコネクタを提供することにある。
【００１５】
また、本発明の課題は、曲げモーメントが小さいため破壊することがなく正常な動作をするコネクタを提供することにある。
【００１６】
【課題を解決するための手段】
本発明によれば、導電性のコンタクトと、該コンタクトを保持したインシュレータと、該インシュレータを基板に実装して保持するよう前記基板に固定される固定部材とを含み、接続方向と該接続方向とは逆向きの離脱方向で接続対象物を前記コンタクトに接続・離脱可能とするコネクタにおいて、前記固定部材は、前記インシュレータへ圧入される板形状の圧入部と、前記接続対象物を前記接続方向で移動して前記コンタクトに接続する際に前記接続対象物の前記接続方向における端面に当接して前記接続対象物による衝撃荷重を受けるよう前記端面に対向する前記インシュレータの対向面から前記離脱方向へ突出している当接面と、前記基板に固定される板形状の固定部とを有し、該当接面は前記固定部材の板面を交差する板厚方向の板厚面であり、前記当接面が前記基板に実装する前記インシュレータの実装面側から該実装面の上方に向かって位置していることを特徴とするコネクタが得られる。
【００１７】
【作用】
コネクタと接続対象物との嵌合状態時に、接続対象物の端面は、インシュレータに保持されている固定部材の当接面に当接する。この際、コネクタは、接続対象物の接続方向における端面を固定部材の当接面によって受け、接続対象物に外部から予期しない衝撃力を受けても、基板から離脱したり、曲がったりしない。
【００１８】
【発明の実施の形態】
以下、図面を参照して、本発明に係るコネクタの実施の形態例を説明する。図１は、第１実施の形態例におけるコネクタと、このコネクタを実装するプリント回路基板のような基板とを示している。図２は、コネクタを分解した状態を示している。
【００１９】
この実施の形態例におけるコネクタは、ＩＣカード又はメモリカードなどの薄い板状の接続対象物と接続するものである。ここで、接続対象物を相手側コネクタと呼び、以下の説明をする。また、図１０乃至図１５において説明したコネクタ１の各部品と同じ部分には、同じ符号を付して以下に説明をする。
【００２０】
図１及び図２を参照して、コネクタ１は、導電性のコンタクト１０と、複数のコンタクト１０を整列して保持しているインシュレータ２０と、基板１２０に固定される固定部材としての一対のホールドダウン３０とを備えている。
【００２１】
コネクタ１は、図３に示すように、接続方向Ａと接続方向Ａとは逆向きの離脱方向Ｂで相手側コネクタ１００をコンタクト１０に接続・離脱可能とする。ホールドダウン３０は、板形状の圧入部３０ａと、この圧入部３０ａに対して板面方向へほぼ直角に曲げられている固定部３０ｂとを有している。
【００２２】
ホールドダウン３０は、樹脂材によって作られたインシュレータ２０よりも強度が高い、例えば、金属板材を採用することが望ましい。圧入部３０ａは、相手側コネクタ１００側に向けてインシュレータ２０の対向面２０ａから離脱方向Ｂへ突出した状態でインシュレータ２０に保持されている。さらに、圧入部３０ａは、相手側コネクタ１００に対向するインシュレータ２０の対向面２０ａから突出した部分に当接面３０ｃを有している。
【００２３】
当接面３０ｃは、基板１２０に実装するインシュレータ２０の実装面側から実装面の上方に向かって位置しており、相手側コネクタ１００を接続方向Ａへ移動してコンタクト１０に接続する際に相手側コネクタ１００の接続方向Ａの端面１００ａに当接する部分である。固定部３０ｂは、基板１２０に実装されて基板１２０上に設けられている導電パターンに半田付け接続される。
【００２４】
インシュレータ２０の対向面２０ａには、ピン形状に作られたコンタクト１０の接触部１０ａが突出した状態で設けられている。コンタクト１０は、接触部１０ａとは反対側に端子部１０ｂを有している。
【００２５】
ホールドダウン３０は、インシュレータ２０の長手方向の両端部に位置している一対のブロック部２０ｃの近傍に形成されている一対の溝２０ｂに一対一に圧入されて保持されている。ブロック部２０ｃには、溝２０ｂがブロック部２０ｃの底面から上方へかつインシュレータ２０の対向面２０ａを切り欠くようにして形成されている。
【００２６】
圧入部３０ａの当接面３０ｃは、インシュレータ２０の対向面２０ａから少し突き出した状態で溝２０ｂに圧入されることによって保持される。ホールドダウン３０の当接面３０ｃは、接続時に、相手側コネクタ１００の端面１００ａに当接する。この当接面３０ｃは、固定部材３０の板面を交差する板厚方向の板厚面である。ブロック部２０ｃの溝２０ｂへ圧入部３０ａを圧入した後の状態では、圧入部３０ａの一部と当接面３０ｃとがインシュレータ２０の対向面２０ａよりも少し突出した状態となる。
【００２７】
図３及び図４は、コネクタ１をカード接続用コネクタとして用いる場合の具体例を示している。図３及び図４を参照して、カード接続用コネクタは、コネクタ１と、フレーム５０ａ，５０ｂとを有している。フレーム５０ａ，５０ｂは、ブロック部２０ｂに一端が連結されており、接続方向Ａ及び離脱方向Ｂで相手側コネクタ１００を接続・離脱方向Ａ，Ｂへ移動可能にガイドする。さらに、カード接続用コネクタは、フレーム５０ａ，５０ｂに対してブリッジ状に覆っているカバー６０と、相手側コネクタ１００を離脱するための離脱機構とを有している。カバー６０は、フレーム５０ａ，５０ｂの上面に橋渡しされている。
【００２８】
フレーム５０ａ，５０ｂは、インシュレータ２０の長手方向の両端面から接続・離脱方向Ａ，Ｂに対して互いに平行に対向して延びている。さらに、フレーム５０ａ，５０ｂは、相手側コネクタ１００の接続・離脱方向Ａ，Ｂに平行な一対の縁部分をスライド可能に保持するガイド部５１ａ，５１ｂを有している。
【００２９】
離脱機構は、インシュレータ２０の上面に設けられているカバー６０に回転可能に取り付けたレバー７０と、それに連動して相手側コネクタ１００を離脱方向に移動させるプレート８０と、一方のフレーム５０ａの外側面に沿って設けられているイジェクトボタン９０とを有している。
【００３０】
図５は、第２実施の形態例におけるコネクタを示している。図６は、コネクタを分解した状態を示している。なお、この第２実施の形態例におけるコネクタは、第１実施の形態例によって説明したホールドダウン３０に代えて、アンカーピンを採用した点で異なっているものであることから、図１乃至図４と同じ部分には、同じ符号を付して説明の一部を省略する。
【００３１】
図５及び図６を参照して、第2実施の形態例におけるコネクタ１は、導電性のコンタクト１０と、複数のコンタクト１０を整列して保持しているインシュレータ２０と、基板１２０に固定される固定部材としての一対のアンカーピン４０とを備えている。
【００３２】
アンカーピン４０は、板形状の圧入部４０ａと、この圧入部４０ａに対して板面方向へ延びている固定部４０ｂとを有している。圧入部４０ａは、相手側コネクタ１００側に向けてインシュレータ２０の対向面２０ａから離脱方向Ｂへ突出した状態でインシュレータ２０に保持されている。さらに、圧入部４０ａは、相手側コネクタ１００に対向するインシュレータ２０の対向面２０ａから突出した部分に当接面４０ｃを有している。
【００３３】
当接面４０ｃは、図７に示すように、相手側コネクタ１００を接続方向Ａへ移動してコンタクト１０に接続する際に相手側コネクタ１００の接続方向Ａの端面１００ａに当接する部分である。固定部４０ｂは、基板１２０のスルーホールへ挿入されて基板１２０の導電パターンに半田付け接続される。
【００３４】
アンカーピン４０は、インシュレータ２０の長手方向の両側に形成されている一対のブロック部２０ｃに形成されている一対の溝２０ｂに一対一に圧入されて保持されている。圧入部４０ａは、溝２０ｂに圧入されることによって保持される。アンカーピン４０の当接面４０ｃは、相手側コネクタ１００の端面１００ａを当接する。この当接面４０ｃは、固定部材３０，４０の板面を交差する板厚方向の板厚面である。
【００３５】
ブロック部２０ｃの溝２０ｂへ圧入部４０ａを圧入した後の状態では、インシュレータ２０の対向面２０ａよりも突出した状態となる。端子部１０ｂ及びアンカーピン４０の固定部４０ｂは、ブロック部２０ｃの溝２０ｂへ圧入部４０ａを圧入した後に、端子部１０ｂとともに基板１２０の導電パターンのそれぞれに半田付けによって接続される。
【００３６】
図７及び図８は、コネクタ１をカード接続用コネクタとして用いる場合の具体例を示している。このカード接続用コネクタの構成は、図３及び図４によって説明したカード接続用コネクタと同じ構成であるため、説明を省略する。
【００３７】
図９は、コネクタ１と相手側コネクタ１００とが接続された状態における回転モーメントを説明するための説明図である。なお、図９におけるコネクタ１において、アンカーピン４０の当接面４０ｃは、基板１２０に実装するインシュレータ２０の実装面から実装面の上方における高さが、コンタクト１０の接触部１０ａが位置している実装面から実装面の上方における高さよりも低くなっている。図９を参照して、相手側コネクタ１００との嵌合状態時に、誤って衝撃力（衝撃荷重）Ｐが加わった場合、相手側コネクタ１００の端面１００ｃは、アンカーピン４０の当接面４０ｃに当接しているため、コネクタ１に作用する回転モーメントＭｂは、Ｍｂ=Ｐ×ｈ２となる。ここで、ｈ２は、インシュレータ２０を実装した基板１２０の実装面から実装面の上方において回転モーメントＭｂが加わる位置の高さを示している。なお、図１５に示した先行技術における回転モーメントＭａは、Ｍａ=Ｐ×ｈ１であったが、ｈ１＞ｈ２であり、その結果Ｍａ＞Ｍｂとなる。
【００３８】
したがって、図９によって説明したコネクタ１では、回転モーメントＭｂが小さくなり、相手側コネクタ１００に接続方向Ａの衝撃力Ｐを受けても、基板１２０の導電パターンに半田付けによって接続されている端子部１０が導電パターンから剥離してしまったり、ホールドダウン１３０が強い衝撃力に耐え切れずに基板１２０から離脱したり曲がったりすることなく、正常に保たれ、使用後、相手側コネクタ１００を離脱させるときも離脱機構によって操作可能である。なお、アンカーピン４０に代えて第1実施の形態例において説明したホールドダウン３０を採用した場合の回転モーメントも同じものとなる。
【００３９】
なお、実施の形態例では、カード接続用コネクタを具体例として説明したが、基板にコネクタを実装し、相手側コネクタを接続・離脱可能とする周知なコネクタにおいても本発明を適用できることはいうまでもない。
【００４０】
【発明の効果】
以上，実施の形態例によって説明したように、本発明のコネクタによれば、固定部材に接続対象物と当接する当接面を有し、当接面が接続対象物側に向けてインシュレータの対向面から外へ突出するようにインシュレータに保持されているので、相手側コネクタの端面を固定部材の当接面で受けることによって、相手側コネクタに外部から予期しない衝撃力を受けても、コンタクトの端子部が基板から離脱したり、曲がったりすることを防止できる。
【図面の簡単な説明】
【図１】本発明に係るコネクタの第１実施の形態例を基板とともに示した斜視図である。
【図２】図１に示したコネクタを分解して示した斜視図である。
【図３】図１に示したコネクタをカード接続用コネクタとして用いる具体例を示しており、カード接続用コネクタに相手側コネクタが接続していない状態を示した斜視図である。
【図４】図３に示したカード接続用コネクタに相手側コネクタが接続している状態を示した斜視図である。
【図５】本発明に係るコネクタの第２実施の形態例を示す斜視図である。
【図６】図５に示したコネクタを分解して示した斜視図である。
【図７】図５に示したコネクタをカード接続用コネクタとして用いる具体例を示しており、カード接続用コネクタに相手側コネクタが接続していない状態を示した斜視図である。
【図８】図７に示したカード接続用コネクタに相手側コネクタが接続している状態を示した斜視図である。
【図９】図８に示したコネクタと相手側コネクタとが接続状態にあるときの回転モーメントを説明するための説明図である。
【図１０】先行技術におけるコネクタを示した斜視図である。
【図１１】図１０に示したコネクタを分解して示した斜視図である。
【図１２】図１０に示したコネクタを組み付けたカード接続用コネクタに相手側コネクタが接続していない状態を示した斜視図である。
【図１３】図１２に示したカード接続用コネクタを裏側から見た状態を示した斜視図である。
【図１４】図１２に示したカード接続用コネクタに相手側コネクタが接続している状態を示した斜視図である。
【図１５】図１２に示したコネクタと相手側コネクタとが接続状態にあるときの回転モーメントを説明するための説明図である。
【符号の説明】
１    コネクタ
１０    コンタクト
１０ａ    接触部
１０ｂ    端子部
２０    インシュレータ
２０ａ    対向面
３０，４０，１３０    固定部材（ホールドダウン、アンカーピン）
３０ａ，４０ａ，１３０ａ    圧入部
３０ｂ，４０ｂ，１３０ｂ    固定部
３０ｃ，４０ｃ    当接面
１００    相手側コネクタ（接続対象物）
１００ａ    端面
１２０    基板
【図１】
0003656192.tif 000002
【図２】
0003656192.tif 000003
【図３】
0003656192.tif 000004
【図４】
0003656192.tif 000005
【図５】
0003656192.tif 000006
【図６】
0003656192.tif 000007
【図７】
0003656192.tif 000008
【図８】
0003656192.tif 000009
【図９】
0003656192.tif 000010
【図１０】
0003656192.tif 000011
【図１１】
0003656192.tif 000012
【図１２】
0003656192.tif 000013
【図１３】
0003656192.tif 000014
【図１４】
0003656192.tif 000015
【図１５】
0003656192.tif 000016